(57)【特許請求の範囲】
【請求項１】
基板を略水平に保持する基板保持部と、
現像液を吐出するための現像液吐出口を有する現像液ノズルと、
前記基板保持部により保持される基板の上方を除く待機位置に設けられ、前記現像液ノズルの洗浄処理を行う洗浄処理部と、
前記基板保持部により保持される基板に対して前記現像液ノズルを相対的に移動させるとともに、前記基板保持部により保持される基板に前記現像液ノズルにより現像液が吐出された後に前記現像液ノズルを前記待機位置に移動させる移動装置とを備え、
前記現像液ノズルは、第１および第２の外面を有し、かつ前記第１の外面と前記第２の外面とをつなぐ下面を有し、前記第１および第２の外面ならびに前記下面は一方向に沿って延び、前記第１の外面と前記第２の外面とは前記下面に関して互いに反対側に位置し、
前記現像液吐出口は、前記下面に設けられ、
前記洗浄処理部は、
洗浄液中に気泡を混入させることにより気泡含有洗浄液を生成する気泡混入部と、
前記気泡混入部により生成される気泡含有洗浄液を供給する洗浄液供給部と、
前記現像液ノズルの少なくとも前記現像液吐出口を含む一部を収容可能な溝部を含む収容部とを含み、
前記溝部は、前記一方向に沿って延びる第１の内面、第２の内面および底部を有し、前記現像液ノズルが前記溝部に収容された状態で、前記第１の内面、前記第２の内面および前記底部は前記現像液ノズルの前記第１の外面、前記第２の外面および前記下面にそれぞれ対向し、
前記溝部の前記第１の内面には、前記現像液ノズルが前記溝部に収容された状態で前記洗浄液供給部により供給された気泡含有洗浄液を吐出する第１の洗浄液吐出口が設けられ、
前記溝部の前記第２の内面には、前記現像液ノズルが前記溝部に収容された状態で前記洗浄液供給部により供給された気泡含有洗浄液を吐出する第２の洗浄液吐出口が設けられ、
前記洗浄液供給部は、前記現像液ノズルが前記溝部に収容された状態で前記溝部の前記第１の内面と前記現像液ノズルの前記第１の外面との隙間および前記溝部の前記第２の内面と前記現像液ノズルの前記第２の外面との隙間に気泡含有洗浄液が貯留されつつ気泡含有洗浄液の前記一方向の流れが形成されるように気泡含有洗浄液を供給する、現像処理装置。
【請求項２】
前記第１の洗浄液吐出口は、前記一方向に並ぶように前記第１の内面に設けられた複数の第１の開口を含み、
前記第２の洗浄液吐出口は、前記一方向に並ぶように前記第２の内面に設けられた複数の第２の開口を含む、請求項１記載の現像処理装置。
【請求項３】
前記現像液ノズルの前記第１および第２の外面は、前記下面から斜め上方に漸次互いに離れるように傾斜する第１および第２の傾斜面をそれぞれ含み、
前記溝部の前記第１および第２の内面は、前記現像液ノズルが収容された状態で前記現像液ノズルの前記第１および第２の外面にそれぞれ対向するように傾斜する第３および第４の傾斜面をそれぞれ含み、
前記第１および第２の洗浄液吐出口は、前記第３および第４の傾斜面にそれぞれ設けられる、請求項１または２記載の現像処理装置。
【請求項４】
前記溝部の少なくとも一端には、前記溝部内に供給された洗浄液を前記溝部の外部に流出させる流出部が設けられる、請求項１〜３のいずれか一項に記載の現像処理装置。
【請求項５】
基板を略水平に保持する基板保持部と、
現像液を吐出するための現像液吐出口を有する現像液ノズルと、
前記基板保持部により保持される基板の上方を除く待機位置に設けられ、前記現像液ノズルの洗浄処理を行う洗浄処理部と、
前記基板保持部により保持される基板に対して前記現像液ノズルを相対的に移動させるとともに、前記基板保持部により保持される基板に前記現像液ノズルにより現像液が吐出された後に前記現像液ノズルを前記待機位置に移動させる移動装置とを備え、
前記洗浄処理部は、
前記現像液ノズルの少なくとも前記現像液吐出口を含む一部を収容可能でかつ洗浄液を貯留可能な収容部を含み、
前記現像液ノズルは、第１および第２の外面を有し、かつ前記第１の外面と前記第２の外面とをつなぐ下面を有し、前記第１の外面と前記第２の外面とは前記下面に関して互いに反対側に位置し、
前記現像液吐出口は、前記下面に設けられ、
前記収容部は、第１の内面、第２の内面および底部を有し、前記現像液ノズルが前記収容部に収容された状態で、前記第１の内面の少なくとも一部、前記第２の内面の少なくとも一部および前記底部は前記現像液ノズルの前記第１の外面、前記第２の外面および前記下面にそれぞれ対向し、
前記収容部の前記第１の内面には、前記現像液ノズルが前記収容部に収容された状態で前記収容部内に洗浄液を供給する第１の洗浄液吐出口および前記収容部に貯留された洗浄液に気体を供給することにより洗浄液に気泡を混入させる第１の気体吐出口が設けられ、
前記収容部の前記第２の内面には、前記現像液ノズルが前記収容部に収容された状態で前記収容部内に洗浄液を供給する第２の洗浄液吐出口および前記収容部に貯留された洗浄液に気体を供給することにより洗浄液に気泡を混入させる第２の気体吐出口が設けられる、現像処理装置。
【請求項６】
前記現像液ノズルの前記第１および第２の外面ならびに前記下面は一方向に沿って延び、
前記収容部は、前記現像液ノズルの少なくとも前記第１および第２の外面の一部ならびに前記下面を収容可能な溝部を含み、
前記溝部は、前記第１および第２の内面ならびに前記底部を有し、前記第１および第２の内面ならびに前記底部は、前記一方向に沿って延び、
前記第１の洗浄液吐出口は、前記一方向に並ぶように前記第１の内面に設けられた複数の第１の開口を含み、
前記第２の洗浄液吐出口は、前記一方向に並ぶように前記第２の内面に設けられた複数の第２の開口を含み、
前記第１の気体吐出口は、前記一方向に並ぶように前記第１の内面に設けられた複数の第３の開口を含み、
前記第２の気体吐出口は、前記一方向に並ぶように前記第２の内面に設けられた複数の第４の開口を含む、請求項５記載の現像処理装置。
【請求項７】
前記第１および第２の内面の下部領域は、互いに近づくように前記溝部の底部まで斜め下方に延びる、請求項６記載の現像処理装置。
【請求項８】
前記溝部は、第１および第２の端部壁を有し、前記第１および第２の洗浄液吐出口から吐出される洗浄液を貯留可能に構成され、
前記第１および第２の端部壁の少なくとも一方に、前記溝部内で一定高さを超えた洗浄液を前記溝部の外部に流出させる流出部が設けられ、
前記洗浄処理部は、
前記現像液ノズルが前記溝部に収容された状態で前記溝部の前記第１の内面と前記現像液ノズルの前記第１の外面との隙間および前記溝部の前記第２の内面と前記現像液ノズルの前記第２の外面との隙間に洗浄液が貯留されつつ前記流出部から洗浄液が流出するように洗浄液を供給する洗浄液供給部をさらに含む、請求項６または７記載の現像処理装置。
【請求項９】
前記第１の気体吐出口は、前記一方向に沿って並ぶ複数の第５の開口を含み、
前記第２の気体吐出口は、前記一方向に沿って並ぶ複数の第６の開口を含み、
前記複数の第５の開口と前記複数の第６の開口とは、前記一方向において互いにずれるように設けられる、請求項６〜８のいずれか一項に記載の現像処理装置。
【請求項１０】
前記第１および第２の気体吐出口は、前記第１および第２の洗浄液吐出口よりも上方に位置する、請求項５〜９のいずれか一項に記載の現像処理装置。
【請求項１１】
前記収容部の底部に、前記洗浄液吐出口から吐出された洗浄液を排出するための排出口が設けられる、請求項１〜１０のいずれか一項に記載の現像処理装置。
【請求項１２】
前記洗浄処理部は、前記排出口を通して前記洗浄液吐出口から吐出された洗浄液を吸引する吸引装置をさらに含む、請求項１１記載の現像処理装置。
【発明の詳細な説明】
【技術分野】
【０００１】
本発明は、基板に現像処理を行う現像処理装置に関する。
【背景技術】
【０００２】
従来の現像処理装置は、例えばスリット状の吐出口を有する現像液ノズルを備える。現像液ノズルが、現像液を吐出しつつ静止状態で保持された基板Ｗの上方を一方向に移動する。それにより、基板上に現像液の液層が形成され、現像反応が進行する（例えば、特許文献１参照）。
【先行技術文献】
【特許文献】
【０００３】
【特許文献１】特開２０１０−８７３２３号公報
【発明の概要】
【発明が解決しようとする課題】
【０００４】
基板上に現像液が吐出された後に、現像液ノズルに現像液が付着したままであると、その現像液が基板上に落下し、現像欠陥が発生する可能性がある。また、レジスト残渣等の異物が現像液ノズルに付着することがある。この場合も、その異物が基板上に落下する、または基板上に現像液を適正に吐出することができない等の理由により、現像欠陥が発生する可能性がある。したがって、現像液の吐出後に現像液ノズルを清浄にする必要がある。
【０００５】
本発明の目的は、現像液ノズルを清浄にすることが可能な現像処理装置を提供することである。
【課題を解決するための手段】
【０００６】
（１）第１の発明に係る現像処理装置は、基板を略水平に保持する基板保持部と、現像液を吐出するための現像液吐出口を有する現像液ノズルと、基板保持部により保持される基板の上方を除く待機位置に設けられ、現像液ノズルの洗浄処理を行う洗浄処理部と、基板保持部により保持される基板に対して現像液ノズルを相対的に移動させるとともに、基板保持部により保持される基板に現像液ノズルにより現像液が吐出された後に現像液ノズルを待機位置に移動させる移動装置とを備え、現像液ノズルは、第１および第２の外面を有し、かつ第１の外面と第２の外面とをつなぐ下面を有し、第１および第２の外面ならびに下面は一方向に沿って延び、第１の外面と第２の外面とは下面に関して互いに反対側に位置し、現像液吐出口は、下面に設けられ、洗浄処理部は、洗浄液中に気泡を混入させることにより気泡含有洗浄液を生成する気泡混入部と、気泡混入部により生成される気泡含有洗浄液を供給する洗浄液供給部と、現像液ノズルの少なくとも現像液吐出口を含む一部を収容可能な溝部を含む収容部とを含み、溝部は、一方向に沿って延びる第１の内面、第２の内面および底部を有し、現像液ノズルが溝部に収容された状態で、第１の内面、第２の内面および底部は現像液ノズルの第１の外面、第２の外面および下面にそれぞれ対向し、溝部の第１の内面には、現像液ノズルが溝部に収容された状態で洗浄液供給部により供給された気泡含有洗浄液を吐出する第１の洗浄液吐出口が設けられ、溝部の第２の内面には、現像液ノズルが溝部に収容された状態で洗浄液供給部により供給された気泡含有洗浄液を吐出する第２の洗浄液吐出口が設けられ、洗浄液供給部は、現像液ノズルが溝部に収容された状態で溝部の第１の内面と現像液ノズルの第１の外面との隙間および溝部の第２の内面と現像液ノズルの第２の外面との隙間に気泡含有洗浄液が貯留されつつ気泡含有洗浄液の一方向の流れが形成されるように気泡含有洗浄液を供給するものである。
【０００７】
（２）洗浄処理部は、第１の洗浄液吐出口は、一方向に並ぶように第１の内面に設けられた複数の第１の開口を含み、第２の洗浄液吐出口は、一方向に並ぶように第２の内面に設けられた複数の第２の開口を含んでもよい。
【０００８】
（３）現像液ノズルの第１および第２の外面は、下面から斜め上方に漸次互いに離れるように傾斜する第１および第２の傾斜面をそれぞれ含み、溝部の第１および第２の内面は、現像液ノズルが収容された状態で現像液ノズルの第１および第２の外面にそれぞれ対向するように傾斜する第３および第４の傾斜面をそれぞれ含み、第１および第２の洗浄液吐出口は、第３および第４の傾斜面にそれぞれ設けられてもよい。
【０００９】
（４）溝部の少なくとも一端には、溝部内に供給された洗浄液を溝部の外部に流出させる流出部が設けられてもよい。
【００１０】
（５）第２の発明に係る現像処理装置は、基板を略水平に保持する基板保持部と、現像液を吐出するための現像液吐出口を有する現像液ノズルと、基板保持部により保持される基板の上方を除く待機位置に設けられ、現像液ノズルの洗浄処理を行う洗浄処理部と、基板保持部により保持される基板に対して現像液ノズルを相対的に移動させるとともに、基板保持部により保持される基板に現像液ノズルにより現像液が吐出された後に現像液ノズルを待機位置に移動させる移動装置とを備え、洗浄処理部は、現像液ノズルの少なくとも現像液吐出口を含む一部を収容可能でかつ洗浄液を貯留可能な収容部を含み、現像液ノズルは、第１および第２の外面を有し、かつ第１の外面と第２の外面とをつなぐ下面を有し、第１の外面と第２の外面とは下面に関して互いに反対側に位置し、現像液吐出口は、下面に設けられ、収容部は、第１の内面、第２の内面および底部を有し、現像液ノズルが収容部に収容された状態で、第１の内面の少なくとも一部、第２の内面の少なくとも一部および底部は現像液ノズルの第１の外面、第２の外面および下面にそれぞれ対向し、収容部の第１の内面には、現像液ノズルが収容部に収容された状態で収容部内に洗浄液を供給する第１の洗浄液吐出口および収容部に貯留された洗浄液に気体を供給することにより洗浄液に気泡を混入させる第１の気体吐出口が設けられ、収容部の第２の内面には、現像液ノズルが収容部に収容された状態で収容部内に洗浄液を供給する第２の洗浄液吐出口および収容部に貯留された洗浄液に気体を供給することにより洗浄液に気泡を混入させる第２の気体吐出口が設けられるものである。
【００１１】
（６）現像液ノズルの第１および第２の外面ならびに下面は一方向に沿って延び、収容部は、現像液ノズルの少なくとも第１および第２の外面の一部ならびに下面を収容可能な溝部を含み、溝部は、第１および第２の内面ならびに底部を有し、第１および第２の内面ならびに底部は、一方向に沿って延び、第１の洗浄液吐出口は、一方向に並ぶように第１の内面に設けられた複数の第１の開口を含み、第２の洗浄液吐出口は、一方向に並ぶように第２の内面に設けられた複数の第２の開口を含み、第１の気体吐出口は、一方向に並ぶように第１の内面に設けられた複数の第３の開口を含み、第２の気体吐出口は、一方向に並ぶように第２の内面に設けられた複数の第４の開口を含んでもよい。
【００１２】
（７）第１および第２の内面の下部領域は、互いに近づくように溝部の底部まで斜め下方に延びてもよい。
【００１３】
（８）溝部は、第１および第２の端部壁を有し、第１および第２の洗浄液吐出口から吐出される洗浄液を貯留可能に構成され、第１および第２の端部壁の少なくとも一方に、溝部内で一定高さを超えた洗浄液を溝部の外部に流出させる流出部が設けられ、洗浄処理部は、現像液ノズルが溝部に収容された状態で溝部の第１の内面と現像液ノズルの第１の外面との隙間および溝部の第２の内面と現像液ノズルの第２の外面との隙間に洗浄液が貯留されつつ流出部から洗浄液が流出するように洗浄液を供給する洗浄液供給部をさらに含んでもよい。
【００１４】
（９）第１の気体吐出口は、一方向に沿って並ぶ複数の第５の開口を含み、第２の気体吐出口は、一方向に沿って並ぶ複数の第６の開口を含み、複数の第５の開口と複数の第６の開口とは、一方向において互いにずれるように設けてもよい。
【００１５】
（１０）第１および第２の気体吐出口は、第１および第２の洗浄液吐出口よりも上方に位置してもよい。
【００１６】
（１１）収容部の底部に、洗浄液吐出口から吐出された洗浄液を排出するための排出口が設けられてもよい。
この場合、現像液ノズルから除去された汚染物を洗浄液とともに排出口を通して排出することができる。それにより、除去された汚染物が現像液ノズルに再付着することを防止することができる。
【００１７】
（１２）洗浄処理部は、排出口を通して洗浄液吐出口から吐出された洗浄液を吸引する吸引装置をさらに含んでもよい。
この場合、排出口を通して洗浄液および除去された汚染物をより効率よく排出することができる。それにより、除去された汚染物が現像液ノズルに再付着することをより確実に防止することができる。
【発明の効果】
【００２９】
本発明によれば、現像液ノズルを清浄にすることができる。
【図面の簡単な説明】
【００３０】
【図１】実施の形態に係る現像処理装置の模式的平面図である。
【図２】図１の現像処理装置の模式的側面図である。
【図３】スリットノズルの移動経路を示す図である。
【図４】待機ポッドおよびスリットノズルの外観斜視図である。
【図５】（ａ）は、待機ポッドの平面図であり、（ｂ）は、待機ポッドのＡ１−Ａ１線断面図である。
【図６】待機ポッドのＢ１−Ｂ１線断面図である。
【図７】待機ポッドにおけるスリットノズルの洗浄処理について説明するための模式的断面図である。
【図８】待機ポッドにおけるスリットノズルの洗浄処理について説明するための模式的断面図である。
【図９】（ａ）は、待機ポッドの平面図であり、（ｂ）は、待機ポッドのＡ２−Ａ２線断面図である。
【図１０】待機ポッドのＢ２−Ｂ２線断面図である。
【図１１】待機ポッドの一端部を示す側面図である。
【図１２】待機ポッドにおける洗浄処理について説明するための模式的断面図である。
【図１３】待機ポッドにおける洗浄処理について説明するための模式的断面図である。
【発明を実施するための形態】
【００３１】
以下、本発明の実施の形態に係る現像処理装置について図面を参照しながら説明する。
【００３２】
（１）第１の実施の形態
（１−１）現像処理装置の構成
図１は、本実施の形態に係る現像処理装置の模式的平面図である。図２は、図１の現像処理装置の模式的側面図である。図１および図２、ならびに後述の図３以降の所定の図には、位置関係を明確にするために互いに直交するＸ方向、Ｙ方向およびＺ方向を示す矢印を付している。Ｘ方向およびＹ方向は水平面内で互いに直交し、Ｚ方向は鉛直方向に相当する。
【００３３】
図１に示すように、現像処理装置１は、筐体５を備える。筐体５内に、３つの現像処理ユニットＤＥＶおよび現像液供給部６が設けられる。３つの現像処理ユニットＤＥＶは、互いに同じ構成を有し、Ｘ方向に沿って並ぶように配置される。各現像処理ユニットＤＥＶは、回転保持部１０、処理カップ２０およびリンスノズル３０を備える。
【００３４】
図２に示すように、回転保持部１０は、スピンチャック１１、回転軸１２およびモータ１３を含む。スピンチャック１１は、モータ１３に接続された回転軸１２の上端部に設けられる。スピンチャック１１は、基板Ｗの下面の略中心部を真空吸着することにより、基板Ｗを水平姿勢で保持する。モータ１３によって回転軸１２およびスピンチャック１１が一体的に回転される。それにより、スピンチャック１１によって保持された基板Ｗが鉛直方向（Ｚ方向）に沿った軸の周りで回転する。
【００３５】
回転保持部１０を取り囲むように処理カップ２０が設けられる。処理カップ２０は、図示しないカップ昇降機構により下方位置と上方位置との間で昇降される。処理カップ２０が下方位置にある場合、処理カップ２０の上端がスピンチャック１１による基板Ｗの保持位置よりも低い。各現像処理ユニットＤＥＶに対する基板Ｗの搬入時および搬出時に、その現像処理ユニットＤＥＶの処理カップ２０が下方位置に配置される。処理カップ２０が上方位置にある場合、処理カップ２０の上端がスピンチャック１１による基板Ｗの保持位置よりも高く、基板Ｗの周囲が処理カップ２０により取り囲まれる。基板Ｗの現像処理時に、処理カップ２０が上方位置に配置され、回転される基板Ｗから飛散する液滴が処理カップ２０により受け止められる。受け止められた液滴は、図示しない排出部（ドレイン）に導かれる。
【００３６】
リンスノズル３０は、処理カップ２０の外側の待避位置とスピンチャック１１により保持される基板Ｗの中心部上方のリンス位置との間で回動可能に設けられる。リンスノズル３０は、リンス位置においてスピンチャック１１により保持される基板Ｗ上にリンス液を供給する。
【００３７】
図１に示すように、現像液供給部６は、スリットノズル６１、ノズル昇降機構６２およびノズルスライド機構６３を含む。スリットノズル６１は、Ｙ方向に沿って延びるスリット状の吐出口６１ｅ（図２）を有する。吐出口６１ｅの長さは少なくとも基板Ｗの径以上である。スリットノズル６１は、ノズル昇降機構６２によりＺ方向に沿って昇降される。また、スリットノズル６１は、各スピンチャック１１により保持された基板Ｗの上方を通るように、ノズルスライド機構６３により３つの現像処理ユニットＤＥＶの配列方向（Ｘ方向）に沿って移動する。
【００３８】
スリットノズル６１には、図示しない現像液供給源から現像液が供給される。スリットノズル６１は、スピンチャック１１により保持された基板Ｗの上方を移動しつつ吐出口６１ｅ（図２）から基板Ｗ上に現像液を帯状に吐出する。それにより、基板Ｗの上面を覆うように、現像液の液層が形成される。現像液の液層の形成時には、基板Ｗが静止される。
【００３９】
隣り合う現像処理ユニットＤＥＶ間および一端に位置する現像処理ユニットＤＥＶの外側にスリットノズル６１の待機位置が設けられ、各待機位置に待機ポッド７０が設けられる。スリットノズル６１は、基板Ｗ上に現像液を吐出しない期間にいずれかの待機位置に移動し、待機ポッド７０上で待機する。待機ポッド７０において、スリットノズル６１は、内部に滞留する現像液を吐出して排出するオートディスペンス処理を定期的に行う。これにより、変質または経時劣化した現像液が基板Ｗに供給されることが防止される。また、待機ポッド７０において、スリットノズル６１の洗浄処理が行われる。待機ポッド７０の詳細については後述する。
【００４０】
筐体５０の一側面には、３つの現像処理ユニットＤＥＶにそれぞれ対向するように３つのシャッター７が設けられる。各現像処理ユニットＤＥＶに対する基板Ｗの搬入時および搬出時には、対応するシャッター７が開放される。各現像処理ユニットＤＥＶにおける現像処理時には、対応するシャッター７が閉鎖される。
【００４１】
（１−２）現像処理装置の動作
現像処理装置１の動作の概要について説明する。現像処理装置１の各構成要素の動作は、後述の制御部８０（図４）により制御される。図３は、スリットノズル６１の移動経路を示す図である。図３においては、３つの現像処理ユニットＤＥＶをそれぞれ現像処理ユニットＤＥＶ１，ＤＥＶ２，ＤＥＶ３とし、３つの待機ポッド７０をそれぞれ待機ポッド７０ａ，７０ｂ，７０ｃとする。現像処理ユニットＤＥＶ１，ＤＥＶ２，ＤＥＶ３は、この順でＸ方向に沿って並ぶ。現像処理ユニットＤＥＶ１，ＤＥＶ２の間に待機ポッド７０ａが配置され、現像処理ユニットＤＥＶ２，ＤＥＶ３の間に待機ポッド７０ｂが配置され、現像処理ユニットＤＥＶ３の外側に待機ポッド７０ｃが配置される。
【００４２】
スリットノズル６１が待機ポッド７０ｃ上に位置するときに、図示しない搬送装置により現像処理ユニットＤＥＶ１のスピンチャック１１上に、露光処理後の基板Ｗが搬送される。この場合、現像処理ユニットＤＥＶ１の処理カップ２０が下方位置にある状態で現像処理ユニットＤＥＶ１のスピンチャック１１上に基板Ｗが搬送され、基板Ｗの搬送後にその処理カップ２０が上方位置に上昇する。続いて、スリットノズル６１が、現像処理ユニットＤＥＶ１のスピンチャック１１により保持される基板Ｗの一端部（Ｘ方向において待機ポッド７０ａから遠い側の端部）上まで移動し、現像液を吐出しながら基板Ｗの他端部（Ｘ方向において待機ポッド７０ａに近い側の端部）上まで移動する。その後、スリットノズル６１は待機ポッド７０ａ上に移動する。
【００４３】
スリットノズル６１が待機ポッド７０ａ上に位置するときに、図示しない搬送装置により現像処理ユニットＤＥＶ２のスピンチャック１１上に、露光処理後の基板Ｗが搬送される。この場合、現像処理ユニットＤＥＶ２の処理カップ２０が下方位置にある状態で現像処理ユニットＤＥＶ２のスピンチャック１１上に基板Ｗが搬送され、基板Ｗの搬送後にその処理カップ２０が上方位置に上昇する。続いて、スリットノズル６１が、現像処理ユニットＤＥＶ２のスピンチャック１１により保持される基板Ｗの一端部（Ｘ方向において待機ポッド７０ａに近い側の端部）上まで移動し、現像液を吐出しながら基板Ｗの他端部（Ｘ方向において待機ポッド７０ｂに近い側の端部）上まで移動する。その後、スリットノズル６１は待機ポッド７０ｂ上に移動する。
【００４４】
スリットノズル６１が待機ポッド７０ｂ上に位置するときに、図示しない搬送装置により現像処理ユニットＤＥＶ３のスピンチャック１１上に、露光処理後の基板Ｗが搬送される。この場合、現像処理ユニットＤＥＶ３の処理カップ２０が下方位置にある状態で現像処理ユニットＤＥＶ３のスピンチャック１１上に基板Ｗが搬送され、基板Ｗの搬送後にその処理カップ２０が上方位置に上昇する。続いて、スリットノズル６１が、現像処理ユニットＤＥＶ３のスピンチャック１１により保持される基板Ｗの一端部（Ｘ方向において待機ポッド７０ｂに近い側の端部）上まで移動し、現像液を吐出しながら基板Ｗの他端部（Ｘ方向において待機ポッド７０ｃに近い側の端部）上まで移動する。その後、スリットノズル６１は待機ポッド７０ｃ上に移動する。
【００４５】
現像処理ユニットＤＥＶ１〜ＤＥＶ３の各々において、スリットノズル６１が基板Ｗ上を移動しながら現像液を吐出することにより、基板Ｗ上に現像液の液層が形成される。その状態で、基板Ｗ上に形成された感光性膜（レジスト）の現像反応が進行する。現像液の液層が形成されてから予め定められた時間が経過すると、リンスノズル３０がリンス位置に移動し、リンス液を吐出する。それにより、感光性膜の現像反応が停止される。続いて、基板Ｗ上にリンス液が吐出されつつ回転保持部１０により基板Ｗが回転されることにより、基板Ｗ上の現像液が洗い流される。その後、リンス液の吐出が停止された状態で基板Ｗが回転されることにより、基板Ｗからリンス液が振り切られ、基板Ｗが乾燥される。乾燥された基板Ｗが図示しない搬送装置によりスピンチャック１１上から搬送される。スピンチャック１１上から基板Ｗが搬送される際には、処理カップ２０が下方位置に下降する。現像処理装置１においては、このような一連の動作が繰り返される。
【００４６】
現像処理ユニットＤＥＶ１〜ＤＥＶ３の各々に対する基板Ｗの搬入および搬出のタイミングは、上記の例に限定されず、現像処理装置１の各部の動作速度、現像処理時間、または搬送装置の動作速度等に応じて、適宜変更されてもよい。
【００４７】
（１−３）待機ポッドの構成
待機ポッド７０の詳細について説明する。図４は、待機ポッド７０およびスリットノズル６１の外観斜視図である。図５（ａ）は、待機ポッド７０の平面図であり、図５（ｂ）は、図５（ａ）のＡ１−Ａ１線断面図である。図６は、図５（ａ）のＢ１−Ｂ１線断面図である。
【００４８】
図４に示すように、スリットノズル６１は、Ｙ方向に沿ってそれぞれ延びる一対の側面６１ａ、一対の傾斜面６１ｂ、下面６１ｃを有するとともに、Ｙ方向に略垂直な一対の端面６１ｄを有する。一対の側面６１ａは鉛直方向（Ｚ方向）に沿って延び、一対の側面６１ａの下端から互いに近づくように斜め下方に一対の傾斜面６１ｂが延びる。傾斜面６１ｂの下端を連結するように下面６１ｃが水平に延びる。下面６１ｃと一方の傾斜面６１ｂとの連結部分に吐出口６１ｅが設けられる。
【００４９】
待機ポッド７０は箱型の形状を有し、待機ポッド７０のＹ方向における長さは、スリットノズル６１のＹ方向における長さよりも長い。待機ポッド７０の上部には、Ｙ方向に沿って延びるように略Ｖ字状の断面を有する溝部７１０が設けられる。溝部７１０は、一対の側面７１１、一対の傾斜面７１２および底面７１３を有する。一対の側面７１１は、待機ポッド７０の上面から鉛直下方に延びる。一対の傾斜面７１２は、一対の側面７１１の下端部から互いに近づくように斜め下方にそれぞれ延びる。底面７１３は、一対の傾斜面７１２の下端部を互いに連結するように水平に延びる。溝部７１０の両端部は、外方に向かって開口する。溝部７１０の両端部は、スリットノズル６１に供給された洗浄液を待機ポッド７０の外部に流出させるための流出部７１５をそれぞれ構成する。
【００５０】
溝部７１０の一対の側面７１１は、スリットノズル６１の一対の側面６１ａにそれぞれ平行であり、溝部７１０の一対の傾斜面７１２は、スリットノズル６１の一対の傾斜面６１ｂにそれぞれ平行であり、溝部７１０の底面７１３は、スリットノズル６１の下面６１ｃに平行である。
【００５１】
待機ポッド７０は、供給管７０２ａを介して気泡混入装置７０２に接続される。気泡混入装置７０２として、例えばアスピレータまたはマイクロバブル発生装置が用いられる。供給管７０２ａには、バルブＶ１が介挿される。気泡混入装置７０２は、供給管７０２ｂを介して洗浄液供給源７０３に接続され、供給管７０２ｃを介して気体供給源７０４に接続される。
【００５２】
洗浄液供給源７０３から供給管７０２ｂを通して気泡混入装置７０２に洗浄液が供給される。洗浄液として、例えば純水、または界面活性剤を含む溶液が用いられる。気体供給源７０４から供給管７０２ｃを通して気泡混入装置７０２に気体が供給される。気体として、例えば窒素ガスが用いられる。気泡混入装置７０２において、供給された気体が洗浄液中に微細な気泡として混入される。バルブＶ１が開かれることにより、気泡が混入された洗浄液（以下、気泡含有洗浄液と呼ぶ）が、供給管７０２ａを通して待機ポッド７０に供給される。
【００５３】
洗浄液に混入される気泡の大きさは、気泡混入装置７０２の種類の変更または部品の交換等により調整可能である。また、高い洗浄効果を得るために、気泡含有洗浄液中の気体の体積比率は洗浄液の体積比率よりも小さいことが好ましい。
【００５４】
また、待機ポッド７０は、排出管７０５ａを介して吸引装置７０５に接続される。吸引装置７０５として、例えばアスピレータが用いられる。吸引装置７０５により、待機ポッド７０から図示しない排出部に気泡含有洗浄液および除去された汚染物が導かれる。
【００５５】
バルブＶ１の開閉ならびに気泡混入装置７０２および吸引装置７０５の動作は、制御部８０により制御される。上記のように、制御部８０は、現像処理装置１の他の構成要素の動作も制御する。
【００５６】
本実施の形態では、待機ポッド７０、気泡混入装置７０２および吸引装置７０５により、洗浄処理部７００が構成される。図１の３つの待機ポッド７０に対して、共通の気泡混入装置７０２および吸引装置７０５が用いられてもよく、または複数の気泡混入装置７０２および吸引装置７０５が用いられてもよい。
【００５７】
図５に示すように、各傾斜面７１２には、Ｙ方向に沿って等間隔で並ぶように複数の開口７１２ａが設けられる。底面７１３には、Ｙ方向に沿って等間隔で並ぶように複数の開口７１３ａが設けられる。
【００５８】
図６に示すように、待機ポッド７０の下面には、一対の接続口７１２ｃおよび接続口７１３ｃが設けられる。一方の接続口７１２ｃと一方の傾斜面７１２の複数の開口７１２ａとの間、および他方の接続口７１２ｃと他方の傾斜面７１２の複数の開口７１２ａとの間でそれぞれ延びるように、一対の洗浄液供給路７１２ｂが設けられる。各洗浄液供給路７１２ｂは、各接続口７１２ｃから上方に延びるとともに、複数の経路に分岐して内方に向かって水平に延び、複数の開口７１２ａに接続される。また、接続口７１３ｃと複数の開口７１３ａとの間で延びるように、排出路７１３ｂが設けられる。排出路７１３ｂは、接続口７１３ｃから上方に延び、さらに複数の経路に分岐して複数の開口７１３ａに接続される。
【００５９】
一対の接続口７１２ｃには、図４の気泡混入装置７０２から延びる供給管７０２ａが接続される。気泡混入装置７０２から供給管７０２ａを通して待機ポッド７０の各洗浄液供給路７１２ｂに気泡含有洗浄液が導入される。導入された洗浄液は、傾斜面７１２の複数の開口７１２ａから吐出される。
【００６０】
接続口７１３ｃには、図４の吸引装置７０５から延びる排出管７０５ａが接続される。吸引装置７０５により、気泡含有洗浄液および除去された汚染物が排出路７１３ｂおよび排出管７０５ａを通して吸引される。吸引された気泡含有洗浄液および汚染物は、図示しない排出部に導かれて排出される。
【００６１】
（１−４）洗浄処理
上記のように、スリットノズル６１は、各現像処理ユニットＤＥＶ（図１）において基板Ｗに現像液を吐出した後、その現像処理ユニットＤＥＶに隣り合う待機ポッド７０上に移動する。待機ポッド７０においては、スリットノズル６１の洗浄処理が行われる。
【００６２】
図７および図８は、待機ポッド７０におけるスリットノズル６１の洗浄処理について説明するための模式的断面図である。図７および図８に示すように、洗浄処理時には、スリットノズル６１の少なくとも傾斜面６１ｂおよび下面６１ｃを含む下部が待機ポッド７０の溝部７１０内に収容される。この場合、溝部７１０の一対の側面７１１が、スリットノズル６１の一対の側面６１ａにそれぞれ対向し、溝部７１０の一対の傾斜面７１２が、スリットノズル６１の一対の傾斜面６１ｂにそれぞれ対向し、溝部７１０の底面７１３がスリットノズル６１の下面６１ｃに対向する。
【００６３】
この状態で、傾斜面７１２の複数の開口７１２ａからスリットノズル６１に向けて気泡含有洗浄液が吐出される。この場合、図８に示すように、気泡含有洗浄液中の気泡Ｇが、溝部７１０の傾斜面７１２とスリットノズル６１の傾斜面６１ｂとの隙間を通って移動しつつスリットノズル６１の傾斜面６１ｂに衝突する。また、気泡含有洗浄液中の気泡Ｇが、溝部７１０の底面７１３とスリットノズル６１の下面６１ｃとの隙間を通って移動しつつスリットノズル６１の下面６１ｃに衝突する。
【００６４】
これにより、気泡Ｇの衝突力によってスリットノズル６１の傾斜面６１ｂおよび下面６１ｃに付着する汚染物が除去される。ここで、汚染物は、現像液およびレジスト残渣等の異物を含む。また、気泡Ｇの移動および衝突等によって生じる圧力波によりスリットノズル６１の傾斜面６１ｂおよび下面６１ｃに付着する汚染物が粉砕される。さらに、気泡Ｇが汚染物に付着し、スリットノズル６１の傾斜面６１ｂおよび下面６１ｃから汚染物を剥ぎ取る。
【００６５】
また、複数の気泡Ｇは、衝突、破裂および合体を繰り返すことにより、溝部７１０の傾斜面７１２とスリットノズル６１の傾斜面６１ｂとの隙間および溝部７１０の底面７１３とスリットノズル６１の下面６１ｃとの隙間において種々の方向に分散的に移動する。それにより、スリットノズル６１の傾斜面６１ｂおよび下面６１ｃに対して均一に洗浄を行うことができる。
【００６６】
また、気泡含有洗浄液は、気泡を含まない洗浄液に比べて飛散しにくい。それにより、気泡含有洗浄液が待機ポッド７０の外側に飛散してスピンチャック１１上の基板Ｗまたは搬送中の基板Ｗ等に付着することが防止される。
【００６７】
気泡含有洗浄液の吐出時には、吸引装置７０５（図４）が動作する。これにより、気泡含有洗浄液および除去された汚染物の一部が底面７１３の複数の開口７１３ａから吸引され、排出される。したがって、除去された汚染物がスリットノズル６１の傾斜面６１ｂおよび下面６１ｃに再付着することが抑制される。
【００６８】
また、スリットノズル６１に供給された気泡含有洗浄液は、除去された汚染物とともに溝部７１０の流出部７１５（図４）から待機ポッド７０の外方に流出する。これにより、溝部７１０内において、気泡含有洗浄液がスリットノズル６１の長手方向（Ｙ方向）に円滑に流動する。したがって、スリットノズル６１の傾斜面６１ｂおよび下面６１ｃの全体に対してより効果的に洗浄を行うことができる。流出した気泡含有洗浄液および汚染物は、図示しない排出部に導かれる。
【００６９】
気泡含有洗浄液の吐出が開始されてから一定時間が経過した後、開口７１２ａからの気泡含有洗浄液の吐出が停止されるとともに、吸引装置７０５の動作が停止される。これにより、スリットノズル６１の洗浄処理が終了する。
【００７０】
（１−５）効果
本実施の形態に係る現像処理装置１においては、スリットノズル６１から基板Ｗに現像液が吐出された後、待機ポッド７０において気泡が混入された洗浄液によりスリットノズル６１の洗浄処理が行われる。それにより、スリットノズル６１を清浄にすることができる。その結果、スリットノズル６１の汚染に起因する基板Ｗの現像欠陥の発生を防止することができる。
【００７１】
また、本実施の形態では、気泡混入装置７０２により予め気泡が混入された洗浄液が開口７１２ａからスリットノズル６１に向けて吐出される。それにより、スリットノズル６１に気泡を効率よく衝突させることができる。したがって、スリットノズル６１を効率よく洗浄することができる。
【００７２】
（１−６）待機ポッドの変形例
（１−６−１）
開口７１２ａ，７１３ａの位置、数、大きさおよび形状等は、上記の例に限定されず、適宜変更されてもよい。例えば、複数の開口７１２ａが複数段に設けられてもよく、複数の開口７１３ａが複数列を形成するように設けられてもよい。また、開口７１２ａ，７１３ａがそれぞれスリット状であってもよい。
【００７３】
（１−６−２）
第１の実施の形態では、傾斜面７１２に洗浄液を吐出するための開口７１２ａが設けられるが、開口７１２ａの代わりに、または開口７１２ａに加えて、底面７１３に洗浄液を吐出するための開口が設けられてもよい。また、第１の実施の形態では、底面７１３に洗浄液を排出するための開口７１３ａが設けられるが、開口７１３ａの代わりに、または開口７１３ａに加えて、傾斜面７１２に洗浄液を排出するための開口が設けられてもよい。
【００７４】
（１−６−３）
第１の実施の形態では、開口７１２ａからの気泡含有洗浄液の吐出時に吸引装置７０５による吸引が行われるが、汚染物の再付着を防止可能である場合または防止する必要がない場合には、吸引装置７０５による吸引が行われなくてもよい。その場合、気泡含有洗浄液および汚染物が複数の開口７１３ａから自重によって排出されてもよく、または複数の開口７１３ａが設けられなくてもよい。
【００７５】
（１−６−４）
第１の実施の形態では、溝部７１０の両端部に流出部７１５が設けられるが、一方の端部にのみ流出部７１５が設けられてもよい。また、一方向に沿った洗浄液の流れを形成可能である場合、または形成する必要がない場合には、溝部７１０の他の箇所から洗浄液を流出させてもよい。
【００７６】
（１−６−５）
開口７１２ａから気泡含有洗浄液が吐出される前に、開口７１２ａから現像液が吐出されてもよい。この場合、スリットノズル６１に付着するレジスト残渣を溶解して除去することができる。また、開口７１２ａから現像液が吐出される代わりに、現像液を吐出するための開口が別途設けられてもよい。
【００７７】
（２）第２の実施の形態
本発明の第２の実施の形態について、上記第１の実施の形態と異なる点を説明する。第２の実施の形態においては、図４〜図６の待機ポッド７０の代わりに、以下の図９〜図１１に示す待機ポッド７０が用いられる。
【００７８】
（２−１）待機ポッドの構成
図９（ａ）は、第２の実施の形態における待機ポッド７０の平面図であり、図９（ｂ）は図９（ａ）のＡ２−Ａ２線断面図である。図１０は、図９（ａ）のＢ２−Ｂ２線断面図である。図１１は、図９（ａ）の待機ポッド７０の一端部を示す側面図である。図９〜図１１の待機ポッド７０について、図４〜図６の待機ポッド７０と異なる点を説明する。
【００７９】
図９および図１０に示すように、待機ポッド７０の上部には、Ｙ方向に沿って延びるように略Ｖ字状の断面を有する溝部７２０が設けられる。溝部７２０は、一対の側面７２１、一対の第１の上部傾斜面７２２および一対の下部傾斜面７２３を有する。一対の側面７２１は、待機ポッド７０の上面から鉛直下方に延びる。一対の上部傾斜面７２２は、一対の側面７１１の下端部から互いに近づくように斜め下方にそれぞれ延びる。一対の下部傾斜面７２３は、一対の上部傾斜面７２２の下端部から互いに近づくように斜め下方にそれぞれ延びる。水平面に対する下部傾斜面７２３の傾斜角は、水平面に対する上部傾斜面７２２の傾斜角よりも大きい。
【００８０】
溝部７２０の一対の側面７２１は、スリットノズル６１の一対の側面６１ａにそれぞれ平行であり、溝部７２０の一対の上部傾斜面７２２は、スリットノズル６１の一対の傾斜面６１ｂにそれぞれ平行である。
【００８１】
各側面７２１には、Ｙ方向に沿って等間隔で並ぶように複数の開口７２１ａが設けられる。各上部傾斜面７２２には、Ｙ方向に沿って等間隔で並ぶように複数の開口７２２ａが設けられる。各上部傾斜面７２２と各下部傾斜面７２３との境界部分には、Ｙ方向に沿って等間隔で並ぶように複数の開口７２３ａが設けられる。
【００８２】
一方の上部傾斜面７２２に設けられる複数の開口７２２ａの位置と、他方の上部傾斜面７２２に設けられる複数の開口７２２ａの位置とは、Ｙ方向において互いにずれることが好ましい。また、一方の上部傾斜面７２２および下部傾斜面７２３の境界部分に設けられる複数の開口７２３ａの位置と、他方の上部傾斜面７２２および下部傾斜面７２３の境界部分に設けられる複数の開口７２３ａの位置とは、Ｙ方向において互いにずれることが好ましい。
【００８３】
各下部傾斜面７２３には、Ｙ方向に沿って等間隔で並ぶように複数の開口７２４ａが設けられ、それよりも低い位置においてＹ方向に沿って等間隔で並ぶように複数の開口７２５ａが設けられる。一対の下部傾斜面７２３の下端部間に、Ｙ方向に沿って延びるようにスリット状の開口７２６ａが設けられる。
【００８４】
図１０に示すように、待機ポッド７０の下面には、一対の接続口７２１ｃ、一対の接続口７２４ｃ、一対の接続口７２５ｃおよびスリット状の開口７２６ｃが設けられる。
【００８５】
一対の接続口７２１ｃと複数の開口７２１ａ，７２２ａ，７２３ａとの間で延びるように、一対の気体供給路７２１ｄが設けられる。一方の気体供給路７２１ｄは、一方の接続口７２１ｃと、一方の側面７２１、上部傾斜面７２２および下部傾斜面７２３に設けられた複数の開口７２１ａ，７２２ａ，７２３ａとの間で延びる。他方の気体供給路７２１ｄは、他方の接続口７２１ｃと、他方の側面７２１、上部傾斜面７２２および下部傾斜面７２３に設けられた複数の開口７２１ａ，７２２ａ，７２３ａとの間で延びる。
【００８６】
各気体供給路７２１ｄは、供給路７２１ｘ、複数の供給路７２１ｂ、複数の供給路７２２ｂおよび複数の供給路７２３ｂを含む。各接続口７２１ｃから上方に延びるように供給路７２１ｘが設けられる。複数の供給路７２１ｂは、供給路７２１ｘの上端から内方に向かって水平に延び、複数の開口７２１ａにそれぞれ接続される。複数の供給路７２２ｂは、供給路７２１ｘから内方に向かって斜め下方に延び、複数の開口７２２ａにそれぞれ接続される。複数の供給路７２３ｂは、供給路７２１ｘから内方に向かって斜め上方に延び、複数の開口７２３ａにそれぞれ接続される。
【００８７】
一方の接続口７２４ｃと一方の下部傾斜面７２３の複数の開口７２４ａとの間、および他方の接続口７２４ｃと他方の下部傾斜面７２３の複数の開口７２４ａとの間で延びるように、一対の洗浄液供給路７２４ｂが設けられる。各洗浄液供給路７２４ｂは、各接続口７２４ｃから上方に延び、さらに複数の経路に分岐して内方に向かって水平に延び、複数の開口７２４ａに接続される。
【００８８】
一方の接続口７２５ｃと一方の下部傾斜面７２３の複数の開口７２５ａとの間、および他方の接続口７２５ｃと他方の下部傾斜面７２３の複数の開口７２５ａとの間で延びるように、一対の排出路７２５ｂが設けられる。各排出路７２５ｂは、各接続口７２５ｃから上方に延び、さらに複数の経路に分岐して内方に向かって水平に延び、複数の開口７２５ａに接続される。開口７２６ａと開口７２６ｃとの間で延びるように、排出路７２６ｂが設けられる。
【００８９】
なお、実際には、図９に示すように、開口７２１ａ，７２２ａ，７２３ａ，７２４ａ，７２５ａがＹ方向に垂直な共通の平面上に位置することはないが、図１０および後述の図１２および図１３においては、説明の簡便のため、開口７２１ａ，７２２ａ，７２３ａ，７２４ａ，７２５ａが、Ｙ方向に垂直な共通の平面上に位置するように示される。同様に、接続口７２１ｃ，７２４ｃ，７２５ｃ、供給路７２１ｘ，７２１ｂ，７２２ｂ，７２３ｂ、洗浄液供給路７２４ｂおよび排出路７２５ｂが、Ｙ方向に垂直な共通の平面上に位置するように示される。
【００９０】
一対の接続口７２１ｃには、気体供給源７０４から延びる供給管７０２ｅが接続される。供給管７０２ｅには、バルブＶ３が介挿される。バルブＶ３および後述のバルブＶ４の開閉は、制御部８０により制御される。バルブＶ３が開かれることにより、気体供給源７０４から供給管７０２ｅを通して待機ポッド７０の各気体供給路７２１ｄに気体（例えば、窒素ガス）が導入される。導入された気体は、複数の開口７２１ａ，７２２ａ，７２３ａから吐出される。
【００９１】
一対の接続口７２４ｃには、洗浄液供給源７０３から延びる供給管７０２ｆが接続される。供給管７０２ｆには、バルブＶ４が介挿される。バルブＶ４が開かれることにより、洗浄液供給源７０３から供給管７０２ｆを通して待機ポッド７０の各洗浄液供給路７２４ｂに洗浄液が導入される。導入された洗浄液は、複数の開口７２４ａから吐出される。
【００９２】
一対の接続口７２５ｃには、吸引装置７０５から延びる排出管７０５ｂが接続される。吸引装置７０５により、洗浄液および除去された汚染物が排出路７２５ｂおよび排出管７０５ｂを通して吸引される。吸引された洗浄液および汚染物は、図示しない排出部に導かれて排出される。本実施の形態では、待機ポッド７０および吸引装置７０５により洗浄処理部７００が構成される。
【００９３】
図９に示すように、溝部７２０の両端部には、端部壁７２７がそれぞれ設けられる。図１１に示すように、各端部壁７２７の上端部は、側面７２１の上端部よりも低い。端部壁７２７には、一方の側面７２１に沿うように、気泡含有洗浄液を排出するための切り欠き７２７ａが設けられる。また、一方の端部壁７２７には、切り欠き７２７ａと他方の側面７２１との間に、スリットノズル６１を位置決めするための切り欠き７２７ｂが設けられる。
【００９４】
溝部７２０に向けられる各端部壁７２７の面（以下、内面と呼ぶ）には、複数（本例では２つ）の開口７２７ｃ（図１０）が設けられる。複数の開口７２７ｃは、例えば上部傾斜面７２２の複数の開口７２２ａと同じ高さに設けられる。各開口７２７ｃから延びるように供給路７２７ｄが設けられる。各供給路７２７ｄは、図１０の供給路７２１ｘと連通する。そのため、図１０の気体供給源７０４から供給管７０２ｅを通して各気体供給路７２１ｄに導入された気体の一部が、供給路７２７ｄを通して開口７２７ｃから吐出される。
【００９５】
（２−２）洗浄処理
図９〜図１１の待機ポッド７０における洗浄処理について説明する。図１２および図１３は、図９〜図１１の待機ポッド７０における洗浄処理について説明するための模式的断面図である。まず、図１２に示すように、スリットノズル６１の少なくとも傾斜面６１ｂおよび下面６１ｃを含む下部が待機ポッド７０の溝部７２０内に収容される。この場合、溝部７２０の一対の側面７２１が、スリットノズル６１の一対の側面６１ａにそれぞれ対向し、溝部７２０の一対の上部傾斜面７２２が、スリットノズル６１の一対の傾斜面６１ｂにそれぞれ対向する。また、一対の端部壁７２７（図１１）の内面がスリットノズル６１の一対の端面６１ｄ（図４）にそれぞれ対向する。
【００９６】
また、スリットノズル６１の一方の端面６１ｄには、突出部６１ｆが設けられる。スリットノズル６１が待機ポッド７０の溝部７２０内に収容される際に、突出部６１ｆが、図１１の端部壁７２７の切り欠き７２７ｂに嵌合される。それにより、待機ポッド７０に対してスリットノズル６１が正確に位置決めされる。
【００９７】
本例では、スリットノズル６１が位置決めされた際に、スリットノズル６１の下面６１ｃの高さと溝部７２０の底部（下部傾斜面７２３の下端部）の高さとの差Ｈｄが５ｍｍ以上となるように、溝部７２０の形状、ならびに突出部６１ｆおよび切り欠き７２７ｂの高さ等が設定される。
【００９８】
次に、図１２（ｂ）に示すように、溝部７２０の複数の開口７２４ａから洗浄液が吐出される。この場合、溝部７２０内における洗浄液の液面が徐々に上昇し、その液面が各端部壁７２７（図１１）の切り欠き７２７ａの下端部に達すると、洗浄液が切り欠き７２７ａから待機ポッド７０の外方に流出する。また、洗浄液の自重により溝部７２０の底部の開口７２６ａから排出路７２６ｂおよび開口７２６ｃを通して洗浄液が流出する。切り欠き７２７ａおよび開口７２６ａから流出する洗浄液は、図示しない排出部に導かれる。
【００９９】
切り欠き７２７ａ（図１１）および開口７２６ａから流出する洗浄液の量が、開口７２４ａから吐出される洗浄液の量と等しくなると、溝部７２０内における洗浄液の液面が略一定の高さに維持される。洗浄液の供給量、開口７２６ａの大きさ、ならびに切り欠き７２７ａの大きさおよび高さ等を調整することにより、溝部７２０内における洗浄液の液面の高さを調整することができる。本例では、スリットノズル６１の下面６１ｃよりも高くなるように洗浄液の液面の高さが調整される。また、複数の開口７２２ａ，７２７ｃよりも高くかつ複数の開口７２１ａよりも低くなるように洗浄液の液面の高さが調整される。
【０１００】
このように、溝部７２０内に洗浄液が貯留されることにより、スリットノズル６１の少なくとも傾斜面６１ｂの一部および下面６１ｃの全体が洗浄液中に浸漬する状態が維持される。それにより、スリットノズル６１の傾斜面６１ｂおよび下面６１ｃに比較的弱い力で付着する汚染物を除去することができる。また、洗浄液の供給および排出が継続されることにより、洗浄液の流れが形成される。その流れの力によってスリットノズル６１から汚染物を除去することもできる。さらに、洗浄液の供給および排出が継続されることにより、溝部７２０内の洗浄液が清浄に維持される。したがって、除去された汚染物がスリットノズル６１に再付着することが防止される。
【０１０１】
また、溝部７２０からオーバーフローにより洗浄液が排出される箇所には、汚染物が集中しやすい。そのため、オーバーフローによる排出箇所の近傍において、除去された汚染物がスリットノズル６１に再付着する可能性がある。本例では、オーバーフローによって洗浄液が排出される箇所が、溝部７２０の両端部における切り欠き７２７ａ（図１１）に限定され、それ以外の箇所からオーバーフローによって洗浄液が排出されることがない。そのため、スリットノズル６１の両端部以外の箇所に、除去された汚染物が再付着することが防止される。また、スリットノズル６１の長手方向（Ｙ方向）における長さは基板Ｗの直径よりも大きいので、スリットノズル６１の両端部が基板Ｗの上方を通ることはない。したがって、スリットノズル６１の両端部に汚染物が再付着しても、その汚染物に起因して基板Ｗに現像欠陥等が発生することはない。また、切り欠き７２７ａの近傍に汚染物が集中するので、待機ポッド７０のメンテナンスを効率よく行うことができ、待機ポッド７０の管理が容易になる。
【０１０２】
続いて、図１３に示すように、溝部７２０の複数の開口７２１ａ，７２２ａ，７２３ａおよび図１１の開口７２７ｃから気体が吐出される。これにより、開口７２２ａ，７２３ａ，７２７ｃから吐出される気体は、溝部７２０内の洗浄液中に気泡Ｇとして混入される。
【０１０３】
この場合、開口７２２ａ，７２３ａ，７２７ｃから吐出された気体によって形成された気泡Ｇが、スリットノズル６１の傾斜面６１ｂに衝突し、開口７２７ｃ（図１１）から吐出された気体によって形成された気泡Ｇが、スリットノズル６１の端面６１ｄ（図４）に衝突する。また、混入された気泡Ｇがスリットノズル６１の下方に移動し、下面６１ｃに衝突する。それにより、気泡Ｇの衝突力によってスリットノズル６１の傾斜面６１ｂ、下面６１ｃおよび端面６１ｄに付着する汚染物が除去される。また、気泡Ｇの移動および衝突等によって生じる圧力波によりスリットノズル６１の傾斜面６１ｂ、下面６１ｃおよび端面６１ｄに付着する汚染物が粉砕される。さらに、気泡Ｇが汚染物に付着し、スリットノズル６１の傾斜面６１ｂ、下面６１ｃおよび端面６１ｄから汚染物を剥ぎ取る。
【０１０４】
また、複数の気泡Ｇは、衝突、破裂および合体を繰り返すことにより、溝部７２０の上部傾斜面７２２とスリットノズル６１の傾斜面６１ｂとの隙間、端部壁７２７（図１１）の内面とスリットノズル６１の端面６１ｄ（図４）との隙間、および溝部７２０の下部傾斜面７２３とスリットノズル６１の下面６１ｃとの間の領域において種々の方向に分散的に移動する。それにより、スリットノズル６１の傾斜面６１ｂ、下面６１ｃおよび端面６１ｄに対して均一に洗浄を行うことができる。
【０１０５】
また、一方の上部傾斜面７２２に設けられる複数の開口７２２ａの位置と、他方の上部傾斜面７２２に設けられる複数の開口７２２ａの位置とが、Ｙ方向において互いにずれるように設定されることにより、Ｙ方向において気泡Ｇが効率的に分散される。同様に、一方の上部傾斜面７２２および下部傾斜面７２３の境界部分に設けられる複数の開口７２３ａの位置と、他方の上部傾斜面７２２および下部傾斜面７２３の境界部分に設けられる複数の開口７２３ａの位置とが、Ｙ方向において互いにずれるように設定されることにより、Ｙ方向において気泡Ｇが効率的に分散される。したがって、スリットノズル６１の傾斜面６１ｂおよび下面６１ｃに対してより均一に洗浄を行うことができる。
【０１０６】
さらに、複数の開口７２１ａは洗浄液の液面よりも高い位置にあるので、複数の開口７２１ａから気体が吐出されることにより、洗浄液の液面の上方に略水平方向に沿った気体の流れが形成される。この気体の流れが、溝部７２０内の空間を溝部７２０の外部から遮断する。それにより、洗浄液が待機ポッド７０の外側に飛散することが防止される。したがって、洗浄液がスピンチャック１１上の基板Ｗまたは搬送中の基板Ｗ等に付着することが防止される。
【０１０７】
開口７２２ａ，７２３ａ，７２７ｃからの気体の吐出時には、図１０の吸引装置７０５が動作する。これにより、洗浄液および除去された汚染物の一部が複数の開口７２５ａから吸引され、排出される。したがって、除去された汚染物がスリットノズル６１の傾斜面６１ｂ、下面６１ｃおよび端面６１ｄ（図４）に再付着することが抑制される。
【０１０８】
気体の吐出が開始されてから一定時間が経過した後、開口７２１ａ，７２２ａ，７２３ａ，７２７ｃからの気体の吐出が停止されるとともに、開口７２４ａからの洗浄液の吐出が停止される。この場合、切り欠き７２７ａ（図１１）および開口７２６ａから洗浄液が流出するとともに吸引装置７０５により開口７２５ａから洗浄液が吸引されることにより、溝部７２０内の洗浄液の液面が徐々に低下し、溝部７２０内から洗浄液がほぼ除去される。その後、吸引装置７０５の動作が停止される。これにより、スリットノズル６１の洗浄処理が終了する。
【０１０９】
（２−３）洗浄液の落下
溝部７２０から洗浄液が排出される際に、スリットノズル６１の下面６１ｃと溝部７２０の内面との間に洗浄液が保持された状態であると、その洗浄液は、スリットノズル６１が待機ポッド７０から待避するまで排出されることなく残留する。そのため、下面６１ｃに洗浄液の大きな滴が付着した状態でスリットノズル６１が待機ポッド７０から基板Ｗの上方に移動することがある。
【０１１０】
この場合、スリットノズル６１に付着する洗浄液が基板Ｗ上に落下し、基板Ｗの現像欠陥が発生する可能性がある。特に、図３の待機ポッド７０ｃから現像処理ユニットＤＥＶ２，ＤＥＶ３の上方を通って現像処理ユニットＤＥＶ１に移動する際には、現像処理ユニットＤＥＶ１，ＤＥＶ２，ＤＥＶ３のいずれの基板Ｗにも、スリットノズル６１から洗浄液が落下する可能性がある。そのため、例えば乾燥後の基板Ｗに洗浄液が付着する可能性がある。
【０１１１】
また、スリットノズル６１に付着する洗浄液中に異物が含まれていると、その異物がスリットノズル６１に固着することがある。その場合、固着した異物によって現像液の吐出方向等が変化し、基板Ｗ上に適正に現像液の液層を形成することができない可能性がある。
【０１１２】
本実施の形態では、溝部７２０から洗浄液が排出される際に、スリットノズル６１の傾斜面６１ｂに付着する洗浄液は、傾斜面６１ｂを伝って下面６１ｃに移動する。スリットノズル６１の下面６１ｃに付着する洗浄液は、自重で下部傾斜面７２３上に落下し、さらに下部傾斜面７２３を伝って下方に移動し、開口７２６ａを通して排出される。
【０１１３】
これにより、スリットノズル６１の下面６１ｃと溝部７２０の下部傾斜面７２３との間で洗浄液が保持されない。そのため、スリットノズル６１が待機ポッド７０の溝部７２０から待避するときに、スリットノズル６１の下面６１ｃに洗浄液の大きな滴が付着することが防止される。したがって、スリットノズル６１が基板Ｗの上方を移動するときに、スリットノズル６１から基板Ｗ上に洗浄液が落下することが防止される。また、洗浄液中に含まれる異物がスリットノズル６１に固着することが防止される。その結果、基板Ｗの現像欠陥の発生が防止される。
【０１１４】
また、本実施の形態では、スリットノズル６１が位置決めされた状態で、スリットノズル６１の下面６１ｃの高さと溝部７２０の底部（下部傾斜面７２３の下端部）の高さとの差Ｈｄ（図１２（ａ））が５ｍｍ以上になる。それにより、スリットノズル６１の下面６１ｃと下部傾斜面７２３との間で洗浄液が保持されることがより確実に防止される。
【０１１５】
ここで、上記の効果がスリットノズル６１の下面６１ｃの高さと溝部７２０の底部の高さとの差Ｈｄ（以下、ノズル下間隔Ｈｄと呼ぶ）に依存することを確認するために、次の評価を行った。
【０１１６】
ノズル下間隔Ｈｄを４ｍｍ、５ｍｍ、６ｍｍおよび７ｍｍにそれぞれ設定し、上記のように洗浄処理を行った。その後、スリットノズル６１の下面６１ｃと下部傾斜面７２３との間で洗浄液が保持されるか否かを調べた。各々の場合において、洗浄液として純水を用い、洗浄液の供給量を０．６Ｌ／ｍｉｍとした。
【０１１７】
その結果、ノズル下間隔Ｈｄを５ｍｍ、６ｍｍおよび７ｍｍに設定した場合には、スリットノズル６１が溝部７２０から待避するときに、スリットノズル６１から溝部７２０内に洗浄液が落下することがなかった。これは、スリットノズル６１の下面６１ｃと下部傾斜面７２３との間で洗浄液が保持されていなかったことを意味する。一方、ノズル下間隔Ｈｄを４ｍｍに設定した場合には、スリットノズル６１が溝部７２０から待避するときに、液体が弾けるような状態が確認された。このような状態は、スリットノズル６１の下面６１ｃが下部傾斜面７２３から離れることにより、スリットノズル６１の下面６１ｃと下部傾斜面７２３との間に保持されていた洗浄液が分割されたことにより発生したと考えられる。
【０１１８】
これにより、ノズル下間隔Ｈｄが５ｍｍ以上に設定されることにより、スリットノズル６１の下面６１ｃと下部傾斜面７２３との間で洗浄液が保持されることが確実に防止されることがわかった。したがって、ノズル下間隔Ｈｄが５ｍｍ以上に設定されることにより、基板Ｗ上への洗浄液の落下およびスリットノズル６１への異物の固着がより確実に防止される。その結果、基板Ｗの現像欠陥の発生がより確実に防止される。
【０１１９】
また、本実施の形態では、溝部７２０の横断面の面積が溝部７２０の上端から下端にかけて徐々に小さくなるように設定されるので、待機ポッド７０の大型化を抑制しつつノズル下間隔Ｈｄを十分に確保することができる。
【０１２０】
なお、スリットノズル６１の形状、溝部７２０の形状および洗浄液の種類等が異なると、スリットノズル６１の下面６１ｃと溝部７２０の内面との間に洗浄液が保持されることを防止可能なノズル下間隔Ｈｄが異なる場合もある。そのため、他の条件によってスリットノズル６１の下面６１ｃと溝部７２０の内面との間に洗浄液が保持されることが防止されるのであれば、ノズル下間隔Ｈｄが５ｍｍより小さくてもよい。
【０１２１】
（２−４）効果
このように、本実施の形態に係る現像処理装置１においても、スリットノズル６１から基板Ｗに現像液が吐出された後、待機ポッド７０において気泡が混入された洗浄液によりスリットノズル６１の洗浄処理が行われる。それにより、スリットノズル６１を清浄にすることができる。その結果、スリットノズル６１の汚染に起因する基板Ｗの現像欠陥の発生を防止することができる。
【０１２２】
また、本実施の形態では、スリットノズル６１の一部が溝部７２０内に収容された状態で溝部７２０に洗浄液が貯留され、貯留された洗浄液中に開口７２２ａ，７２３ａ，７２７ｃから気泡が混入される。これにより、気泡が混入された洗浄液中にスリットノズル６１の一部が浸漬された状態が維持されるので、スリットノズル６１に付着する汚染物を効果的に除去することができる。したがって、スリットノズル６１を効率よく清浄にすることができる。
【０１２３】
（２−５）待機ポッドの変形例
（２−５−１）
開口７２１ａ，７２２ａ，７２３ａ，７２４ａ，７２５ａ，７２６ａ，７２７ｃの位置、数、大きさおよび形状等は、上記の例に限定されず、適宜変更されてもよい。例えば、複数の開口７２１ａ，７２２ａ，７２３ａ，７２４ａ，７２５ａ，７２７ｃがそれぞれ複数段に設けられてもよく、複数の開口７２６ａが平行に形成されてもよい。また、開口７２１ａ，７２２ａ，７２３ａ，７２４ａ，７２５ａ，７２７ｃがそれぞれスリット状であってもよく、複数の円形の開口７２６ａがＹ方向に沿って並ぶように設けられてもよい。
【０１２４】
（２−５−２）
必要量の洗浄液を供給可能であれば、一方の下部傾斜面７２３にのみ開口７２４ａが設けられてもよい。また、貯留される洗浄液に必要量の気泡を混入可能であれば、開口７２２ａ，７２３ａ，７２７ｃのうち少なくとも１つが設けられなくてもよい。また、洗浄液が待機ポッド７０の外側に飛散することを防止可能である場合、または防止する必要がない場合には、開口７２１ａが設けられなくてもよい。
【０１２５】
（２−５−３）
第２の実施の形態では、上部傾斜面７２２および端部壁７２７に気体を吐出するための開口７２２ａ，７２３ａ，７２７ｃが設けられるが、開口７２２ａ，７２３ａ，７２７ｃの代わりに、または開口７２２ａ，７２３ａ，７２７ｃに加えて、下部傾斜面７２３に気体を吐出するための開口が設けられてもよい。また、第２の実施の形態では、下部傾斜面７２３に液体を吐出するための開口７２４ａが設けられるが、開口７２４ａの代わりに、または開口７２４ａに加えて、上部傾斜面７２２に洗浄液を排出するための開口が設けられてもよい。
【０１２６】
（２−５−４）
第２の実施の形態では、開口７２１ａ，７２２ａ，７２３ａ，７２７ｃからの気体の吐出時に吸引装置７０５による吸引が行われるが、開口７２４ａからの洗浄液の吐出のみが行われる期間にも、吸引装置７０５による吸引が行われてもよい。この場合、除去された汚染物がスリットノズル６１に再付着することをより確実に防止することができる。また、汚染物の再付着を防止可能である場合または防止する必要がない場合には、吸引装置７０５による吸引が行われなくてもよい。その場合、開口７２５ａが設けられずに、開口７２６ａおよび切り欠き７２７ａからの排出のみが行われてもよい。
【０１２７】
（２−５−５）
第２の実施の形態では、洗浄液が開口７２６ａから自重によって排出されるが、吸引装置７０５によって洗浄液が開口７２６ａから吸引されてもよい。また、溝部７２０内に洗浄液が残留することを防止可能である場合、または防止する必要がない場合には、開口７２６ａが設けられずに、開口７２５ａおよび切り欠き７２７ａからの排出のみが行われてもよい。
【０１２８】
（２−５−６）
第２の実施の形態では、両方の端部壁７２７に切り欠き７２７ａが設けられるが、一方の端部壁７２７にのみ切り欠き７２７ａが設けられてもよい。また、スリットノズル６１を清浄にすることが可能であれば、溝部７２０の他の箇所から洗浄液を流出させてもよい。
【０１２９】
（２−５−７）
第２の実施の形態では、開口７２２ａ，７２３ａ，７２７ｃから気体が吐出され、開口７２４ａから洗浄液が吐出されるが、上記第１の実施の形態と同様に、洗浄液中に気体を混入するための気体混入装置が別途設けられ、気体混入装置において気体が混入された洗浄液（気体含有洗浄液）が開口７２２ａ，７２３ａ，７２７ｃ，７２４ａの少なくとも１つから吐出されてもよい。また、気体含有洗浄液を吐出するための開口が別途設けられてもよい。
【０１３０】
（３）他の実施の形態
上記第１および第２の実施の形態は、スリット状の吐出口６１ｅを有するスリットノズル６１を備えた現像処理装置に本発明が適用された例であるが、これに限らず、現像液を吐出するための１または複数の小孔を有する現像液ノズルを備えた現像処理装置に本発明が適用されてもよい。その場合も、上記実施の形態と同様に、気泡が混入された洗浄液によって現像液ノズルの洗浄処理が行われることにより、現像液ノズルを清浄にすることができる。それにより、現像液のノズルの汚染に起因する基板Ｗの現像欠陥の発生を防止することができる。
【０１３１】
（４）請求項の各構成要素と実施の形態の各要素との対応
以下、請求項の各構成要素と実施の形態の各要素との対応の例について説明するが、本発明は下記の例に限定されない。
【０１３２】
上記実施の形態では、現像処理装置１が現像処理装置の例であり、スピンチャック１１が基板保持部の例であり、スリットノズル６１が現像液ノズルの例であり、下面６１ｃが下面の例であり、吐出口６１ｅが現像液吐出口の例であり、洗浄処理部７００が洗浄処理部の例であり、ノズル昇降機構６２およびノズルスライド機構６３が移動装置の例であり、気泡混入装置７０２が気泡混入部の例であり、供給管７０２ａが請求項１の洗浄液供給部の例である。
【０１３３】
また、待機ポッド７０が請求項１の収容部の例であり、溝部７１０が請求項１〜４の溝部の例であり、開口７１２ａが請求項１〜３の第１および第２の洗浄液吐出口または請求項２の第１および第２の開口の例であり、Ｙ方向が一方向の例であり、側面７１１または傾斜面７１２が請求項１，３の第１および第２の内面の例であり、流出部７１５が請求項４の流出部の例であり、開口７１３ａ，７２６ａが排出口の例であり、吸引装置７０５が吸引装置の例である。また、待機ポッド７０が請求項５，６の収容部の例であり、溝部７２０が請求項６〜８の溝部の例であり、開口７２４ａが請求項５，６，１０の第１および第２の洗浄液吐出口または請求項６の第１および第２の開口の例であり、開口７２２ａ，７２３ａが請求項５，６，９，１０の第１および第２の気体吐出口、請求項６の第３および第４の開口または請求項９の第５および第６の開口の例であり、側面７２１、上部傾斜面７２２および下部傾斜面７２３が請求項５〜８の第１および第２の内面の例であり、供給管７０２ｆが請求項８の洗浄液供給部の例であり、流出部７１５が請求項８の流出部の例である。
【０１３４】
請求項の各構成要素として、請求項に記載されている構成または機能を有する他の種々の要素を用いることもできる。
（５）参考形態
本参考形態に係る現像処理装置は、基板を略水平に保持する基板保持部と、現像液を吐出するための現像液吐出口を有する現像液ノズルと、基板保持部により保持される基板の上方を除く待機位置に設けられ、現像液ノズルの洗浄処理を行う洗浄処理部と、基板保持部により保持される基板に対して現像液ノズルを相対的に移動させるとともに、基板保持部により保持される基板に現像液ノズルにより現像液が吐出された後に現像液ノズルを待機位置に移動させる移動装置とを備え、洗浄処理部は、気泡が混入された洗浄液により現像液ノズルの洗浄処理を行うように構成されるものである。
その現像処理装置においては、現像液ノズルが基板保持部により略水平に保持される基板に対して相対的に移動装置により移動される。現像液ノズルの現像液吐出口から基板上に現像液が吐出されることにより、基板の現像処理が行われる。現像液の吐出後に、現像液ノズルが基板保持部により保持される基板の上方を除く待機位置に移動装置により移動される。待機位置に設けられた洗浄処理部において、気泡が混入された洗浄液により現像液ノズルの洗浄処理が行われる。
この場合、洗浄液中の気泡が現像液ノズルに衝突する。その衝突力により、現像液ノズルに付着する汚染物が除去される。また、気泡の移動および衝突等によって生じる圧力波により現像液ノズルに付着する汚染物が粉砕される。さらに、気泡が汚染物に付着し、現像液ノズルから汚染物を剥ぎ取る。
また、複数の気泡が衝突、破裂および合体を繰り返すことにより種々の方向に分散的に移動する。それにより、現像液ノズルの全体に対して均一に洗浄を行うことができる。
これらにより、現像液ノズルを清浄にすることができる。その結果、現像液ノズルの汚染に起因する基板の現像欠陥の発生を防止することができる。
洗浄処理部は、洗浄液中に気泡を混入させる気泡混入部と、気泡混入部により気泡が混入された洗浄液を吐出するための洗浄液吐出口を有する洗浄液供給部とを含んでもよい。
この場合、気泡が混入された洗浄液が洗浄液吐出口から現像液ノズルに吐出される。それにより、現像液ノズルに気泡を効率よく衝突させることができる。したがって、現像液ノズルを効率よく清浄にすることができる。
洗浄液供給部は、現像液ノズルの少なくとも現像液吐出口を含む一部を収容可能な収容部を有し、収容部に洗浄液吐出口が設けられてもよい。
この場合、現像液ノズルの少なくとも現像液吐出口を含む一部が収容部に収容された状態で、収容部に設けられた洗浄液吐出口から気泡が混入された洗浄液が吐出される。それにより、現像液ノズルの現像液吐出口およびその近傍を清浄にすることができる。
現像液ノズルは、一方向に沿って延びる下面を有し、現像液吐出口は、一方向に沿って延びるように下面に設けられ、収容部は、一方向に沿って延び、現像液ノズルの少なくとも下面を収容可能な溝部を含み、溝部は、一方向に沿って延びる内面を有し、洗浄液吐出口は、溝部の内面に設けられてもよい。
この場合、現像液ノズルの現像液吐出口が設けられた下面が溝部内に収容された状態で、溝部の内面に設けられた洗浄液吐出口から気泡が混入された洗浄液が吐出される。それにより、現像液ノズルの下面を清浄にすることができる。
洗浄液吐出口は、一方向に沿って並ぶように設けられた複数の開口を含んでもよい。
この場合、気泡が混入された洗浄液を現像液ノズルの下面の全体に効率よく供給することができる。それにより、現像液ノズルの下面の全体を効率よく清浄にすることができる。
溝部の少なくとも一端に、洗浄液吐出口から吐出された洗浄液が流出可能な流出部が設けられてもよい。
この場合、溝部内において、気泡が混入された洗浄液が一方向に沿って流動する。それにより、気泡が混入された洗浄液を現像液ノズルの下面の全体に接触させることができる。したがって、現像液ノズルの下面の全体を効率よく清浄にすることができる。
溝部の内面に、洗浄液吐出口から吐出された洗浄液を排出するための排出口が設けられてもよい。
この場合、現像液ノズルから除去された汚染物を洗浄液とともに排出口を通して排出することができる。それにより、除去された汚染物が現像液ノズルに再付着することを防止することができる。
洗浄処理部は、排出口を通して洗浄液吐出口から吐出された洗浄液を吸引する吸引装置をさらに含んでもよい。
この場合、排出口を通して洗浄液および除去された汚染物をより効率よく排出することができる。それにより、除去された汚染物が現像液ノズルに再付着することをより確実に防止することができる。
洗浄処理部は、現像液ノズルの少なくとも現像液吐出口を含む一部を収容可能でかつ洗浄液を貯留可能な貯留部と、貯留部に貯留された洗浄液に気泡を混入させる気泡混入部とを含んでもよい。
この場合、現像液ノズルの少なくとも現像液吐出口を含む一部が貯留部に収容された状態で貯留部に洗浄液が貯留され、貯留された洗浄液中に気泡が混入される。これにより、気泡が混入された洗浄液中に現像液ノズルの少なくとも現像液吐出口を含む一部が浸漬された状態が維持されるので、現像液吐出口およびその近傍に付着する汚染物を効果的に除去することができる。したがって、現像液ノズルの現像液吐出口およびその近傍を清浄にすることができる。
現像液ノズルは、一方向に沿って延びる下面を有し、現像液吐出口は、一方向に沿って延びるように下面に設けられ、収容部は、一方向に沿って延び、現像液ノズルの少なくとも下面を収容可能な溝部を含み、溝部は、一方向に沿って延びる内面を有し、溝部の内面に、洗浄液を吐出するための洗浄液吐出口および気体を吐出するための気体吐出口が設けられてもよい。
この場合、現像液ノズルの現像液吐出口が設けられた下面が溝部内に収容された状態で、溝部の内面に設けられた洗浄液吐出口から洗浄液が吐出されることにより溝部内に洗浄液が貯留される。さらに、溝部の内面に設けられた気体吐出口から気体が吐出されることにより、貯留された洗浄液に気泡が混入される。それにより、現像液ノズルの下面を清浄にすることができる。
【産業上の利用可能性】
【０１３５】
本発明は、種々の基板の現像処理に有効に利用することができる。
【符号の説明】
【０１３６】
１  現像処理装置
６  現像液供給部
１１  スピンチャック
６１  スリットノズル
６１ａ  側面
６１ｂ  傾斜面
６１ｃ  下面
６１ｄ  端面
６１ｅ  吐出口
６２  ノズル昇降機構
６３  ノズルスライド機構
７０  待機ポッド
７００  洗浄処理部
７０２  気泡混入装置
７０５  吸引装置
７１０，７２０  溝部
７１１，７２１  側面
７１２  傾斜面
７１２ａ，７１３ａ，７２１ａ，７２２ａ，７２３ａ，７２４ａ，７２５ａ，７２６ａ，７２６ｃ，７２７ｃ  開口
７１２ｂ，７２１ｄ，７２４ｂ  洗浄液供給路
７１２ｃ，７１３ｃ，７２１ｃ，７２４ｃ，７２５ｃ  接続口
７１３  底面
７１３ｂ，７２５ｂ，７２６ｂ  排出路
７１５  流出部
７２１ｄ  気体供給路
７２１ｘ，７２１ｂ，７２２ｂ，７２３ｂ，７２７ｄ  供給路
７２２  上部傾斜面
７２３  下部傾斜面
ＤＥＶ  現像処理ユニット
【図１】
0005841493.tif 000002
【図２】
0005841493.tif 000003
【図３】
0005841493.tif 000004
【図４】
0005841493.tif 000005
【図５】
0005841493.tif 000006
【図６】
0005841493.tif 000007
【図７】
0005841493.tif 000008
【図８】
0005841493.tif 000009
【図９】
0005841493.tif 000010
【図１０】
0005841493.tif 000011
【図１１】
0005841493.tif 000012
【図１２】
0005841493.tif 000013
【図１３】
0005841493.tif 000014